(57)【特許請求の範囲】
【請求項１】
固定側金型と、該固定側金型に対して移動可能に取付けられた可動側金型とから構成され、回転中心を有する回転体を、上記固定側金型と可動側金型とにより成型にて製造するための金型装置において、
上記回転体は、該回転体の回転中心に対して所定の傾斜角度を有する傾斜部を有するものであり、
上記固定側金型内には、上記回転体の回転中心軸線に対して直交する面においてスライド移動可能に取り付けられたスライド体を設け、
該スライド体に上記回転体の傾斜部を形成するための対応傾斜部を設けるとともに、
前記可動側金型には前記回転体の傾斜部が形成する上記傾斜角度に合うように傾斜ピンが設けられる一方、上記スライド体には、上記傾斜ピンが嵌入される傾斜ガイド孔が形成されており、
上記可動側金型を上記固定側金型に対して前記回転中心軸線方向に開閉する型開閉移動動作に連動して上記可動側金型の傾斜ピンと上記スライド体の傾斜ガイド孔とが係合することによって、上記スライド体が上記回転体における傾斜部の上記傾斜角度に合うようにスライド移動することを特徴とする金型装置。
【請求項２】
前記固定側金型には前記スライド体の前記スライド移動をガイドするガイド部が形成されていることを特徴とする請求項１記載の金型装置。
【請求項３】
前記回転体の傾斜部は複数のウオーム歯部であることを特徴とする請求項２記載の金型装置。
【請求項４】
固定側金型と、該固定側金型に対して開閉移動可能に取付けられた可動側金型とから構成され、回転中心を有する回転体を、上記固定側金型と可動側金型とにより成型にて製造するための回転体の成型方法において、
上記回転体は該回転体の回転中心に対して所定の傾斜角度を有する傾斜部を有するものであり、
上記固定側金型内に、上記回転体の回転中心軸線に対して直交する面においてスライド移動可能に取り付けられたスライド体を設けておき、
該スライド体に上記回転体の傾斜部を形成するための対応傾斜部を設けるとともに、
前記可動側金型には前記回転体の傾斜部が形成する上記傾斜角度に合うように傾斜ピンが設けられる一方、上記スライド体には、上記傾斜ピンが嵌入される傾斜ガイド孔が形成され、
上記固定側金型に対して上記可動側金型を前記回転中心軸線方向に開閉する型開閉移動動作に連動する上記可動側金型の型抜き動作を行なったときに、上記可動側金型の傾斜ピンによって上記スライド体が上記回転体における傾斜部の上記傾斜角度に合うようにスライド移動することを特徴とする回転体の成型方法。
【請求項５】
前記回転体の傾斜部は複数のウオーム歯部であり、該回転体を前記固定側金型とスライド体と可動側金型とによりダイカスト鋳造により成型するようにしたことを特徴とする請求項４記載の回転体の成型方法。
【発明の詳細な説明】
【０００１】
【発明の属する技術分野】
本発明は、回転中心に対して傾斜した傾斜部を有する歯車等の回転体を、成型にて製造するための金型装置及びその金型装置を用いた回転体の成型方法に関するものであり、特に、ダイカスト鋳造に用いて好適な鋳造用金型装置及びその金型装置を用いた回転体の成型方法に関するものである。
【０００２】
【従来の技術】
従来から、歯車、又は、歯部を有する回転体等、回転中心に対して傾斜した傾斜部を有する回転体を、成型、例えばダイカスト鋳造やモールド成型により形成することが知られている。
【０００３】
ダイカスト鋳造では、固定金型と、固定金型に対して開閉移動可能に取り付けられた可動金型とを備え、固定金型と可動金型との間に形成される成型空間となるキャビティを、所望の歯車、又は、歯部を有する回転体等、所定の形状となるように形成しておき、このキャビティ内に高温の溶湯を射出してキャビティ内の溶湯に圧力をかけながら、ダイカスト鋳造を行い、所望の回転体を製造するようになっている。
【０００４】
【発明が解決しようとする課題】
しかしながら、上記歯車、又は、歯部の形成角度が回転体の回転軸心方向と同一であれば、その回転体の成型は容易であるが、ウオーム歯車、又は、ウオーム歯を有する回転体のように、歯部の形成角度が回転体の回転軸心に対して傾斜している回転体に対しては、単純に固定金型に対して鋳造する回転体の回転軸心Ｘの方向に可動金型を離し、引き抜き動作をすることはできない。したがって、歯部の形成角度が回転体の回転軸心に対して傾斜している回転体に対しては、非常に複雑な金型装置を用いて製造することになっており、また、その成型方法も複雑な工程を経ることとなっている。
【０００５】
本発明は、上記従来の問題点に対して、角度が回転体の回転軸心に対して傾斜している傾斜部を有する回転体に対して、成型により形成することのできる簡単な構成の金型装置及びその金型装置を用いた簡単な工程の回転体の成型方法を提案することを目的とする。
【０００６】
【課題を解決するための手段】
上記の目的を達成するため、本発明は、固定側金型と、該固定側金型に対して移動可能に取付けられた可動側金型とから構成され、回転中心を有する回転体を、上記固定側金型と可動側金型とにより成型にて製造するための金型装置において、上記回転体は、該回転体の回転中心に対して所定の傾斜角度を有する傾斜部を有するものであり、上記固定側金型内には、上記回転体の回転中心軸線に対して直交する面においてスライド移動可能に取り付けられたスライド体を設け、該スライド体に上記回転体の傾斜部を形成するための対応傾斜部を設けるとともに、前記可動側金型には前記回転体の傾斜部が形成する上記傾斜角度に合うように傾斜ピンが設けられる一方、上記スライド体には、上記傾斜ピンが嵌入される傾斜ガイド孔が形成されており、上記可動側金型を上記固定側金型に対して前記回転中心軸線方向に開閉する型開閉移動動作に連動して上記可動側金型の傾斜ピンと上記スライド体の傾斜ガイド孔とが係合することによって、上記スライド体が上記回転体における傾斜部の上記傾斜角度に合うようにスライド移動することを特徴とする。
【０００７】
この場合、成型すべき回転体は、該回転体の回転中心に対して所定の傾斜角度を有する歯部のような傾斜部を有するものであるが、固定側金型内には、上記回転体の回転中心軸線に対して直交する面においてスライド移動可能に取り付けられたスライド体を設け、該スライド体に上記回転体の傾斜部を形成するための対応傾斜部を設けるとともに、上記可動側金型を上記固定側金型に対して前記回転中心軸線方向に開閉する型開閉移動動作に連動して上記スライド体をスライド移動するように構成し、上記スライド体の上記スライド移動動作を上記回転体の傾斜部が形成する上記傾斜角度に合わせるようにしている。
【０００８】
したがって、可動側金型を固定側金型より離して開移動をしたときに、上記可動側金型とともに成型された回転体が固定側金型及びスライド体より離れてゆくが、このとき、可動側金型の開移動とともに上記回転体の傾斜部を形成するための対応傾斜部が設けられたスライド体も、上記回転体の傾斜部が形成する上記傾斜角度に合わせスライド移動するから、可動側金型が従来と同様の開動作をするだけで、傾斜部を有する上記回転体を固定側金型及びスライド体より離す抜き動作をすることができる。
【０００９】
また、スライド体のスライド移動を傾斜ピンと傾斜ガイド孔とにより行うようにしてあるので、スライド移動のための構成を非常に簡単に構成することができる。
【００１０】
本発明は、固定側金型にスライド体のスライド移動をガイドするガイド部を形成することが好ましい。このようにすれば、スライド体のスライド移動を確実に行うことができる。
【００１１】
また、本発明では、前記回転体の傾斜部が複数のウオーム歯部から構成されてなるものでよい。この場合の複数のウオーム歯部とは、所定角度範囲にわたって形成されたウオームギヤ部、又は、全周にわたって形成されたウオームギヤを含むものである。
【００１２】
次に、本発明は、固定側金型と、該固定側金型に対して開閉移動可能に取付けられた可動側金型とから構成され、回転中心を有する回転体を、上記固定側金型と可動側金型とにより成型にて製造するための回転体の成型方法において、上記回転体は該回転体の回転中心に対して所定の傾斜角度を有する傾斜部を有するものであり、上記固定側金型内に、上記回転体の回転中心軸線に対して直交する面においてスライド移動可能に取り付けられたスライド体を設けておき、該スライド体に上記回転体の傾斜部を形成するための対応傾斜部を設けるとともに、前記可動側金型には前記回転体の傾斜部が形成する上記傾斜角度に合うように傾斜ピンが設けられる一方、上記スライド体には、上記傾斜ピンが嵌入される傾斜ガイド孔が形成され、上記固定側金型に対して上記可動側金型を前記回転中心軸線方向に開閉する型開閉移動動作に連動する上記可動側金型の型抜き動作を行なったときに、上記可動側金型の傾斜ピンによって上記スライド体が上記回転体における傾斜部の上記傾斜角度に合うようにスライド移動することを特徴とする。
【００１３】
この場合、成型すべき回転体は、該回転体の回転中心に対して所定の傾斜角度を有する傾斜部を有するものであるが、固定側金型内には、上記回転体の回転中心軸線に対して直交する面においてスライド移動可能に取り付けられたスライド体を設け、該スライド体に上記回転体の傾斜部を形成するための対応傾斜部を設けるとともに、上記スライド体を上記可動側金型の上記固定側金型に対する開閉移動動作に連動してスライド移動させるようにしている。
【００１４】
したがって、可動側金型を成型後に固定側金型より離し、開移動動作させたとき、上記可動側金型とともに成型された回転体が固定側金型及びスライド体より離れてゆくが、このとき、可動側金型の開移動とともに上記回転体の傾斜部を形成するための対応傾斜部を設けたスライド体も、上記回転体の傾斜部が形成する上記傾斜角度に合わせスライド移動するから、上記回転体の傾斜部に対して上記可動側金型の型抜き動作を行うことができる。
【００１５】
本発明は、スライド体のスライド移動を傾斜ピンと傾斜ガイド孔とにより行なっているので、スライド移動を非常に簡単に行うことができ、したがって、単なる固定側金型に対する可動側金型の開閉移動動作をするだけで傾斜部を有する回転体の成型をすることができる。
【００１６】
また、本発明において、回転体の傾斜部は複数のウオーム歯部であり、該回転体を前記固定側金型とスライド体と可動側金型とによりダイカスト鋳造により成型してもよい。
【００１７】
【発明の実施の形態】
以下、本発明の構成を、図面に示す実施の形態の一例に基づいて詳細に説明する。
【００１８】
図１、図２に、本発明における鋳造製品である回転体の一実施形態の平面図及び側断面図を示す。この実施形態における回転体は、ウォームホイール部１Ａを有する回転体２である。ウォームホイール部１Ａは、通常のように、複数形成される歯部４が、回転体２の回転軸心Ｘに対して周方向に関して所定の傾斜角度をもって傾斜するように形成されるものである。回転体２は、約半周にわたるウォームホイール部１Ａと約半周にわたる円形部１Ｂとをその外周部に備えており、また、中心部に回転軸心Ｘを中心とする中心穴部１Ｃを備えている。
【００１９】
次に、上記回転体２をダイカスト鋳造にて構成するための一実施形態である金型装置１０の構成について図３から図９を用いて説明する。
【００２０】
図３は、金型装置１０の概略構成全体を示す斜視図である。金型装置１０は、成型機の装置フレームに固定された固定側金型１１と、該固定側金型１１内に収納され、固定側金型１１に対して所定の範囲内で移動可能に取り付けられたスライド体１２と、上記装置フレームに型抜き方向に、即ち、固定側金型１１に対して開閉（図３における上下方向）移動可能に取り付け保持された可動側金型１３とから構成されている。
【００２１】
固定側金型１１は、図４にその平面図を示すように、中央にスライド体１２を移動可能に収納するとともに成型空間となるキャビティを構成するための、ほぼ扇形の形状をした凹部１４が形成されている。この凹部１４は、固定側金型１１に対して可動側金型１３が閉じた状態となる成型位置において、固定側金型１１とスライド体１２と可動側金型１３とにより成型空間を形成したとき、回転体２の円形部１Ｂを形成するための成型用円弧部１７を中央部に備えている。
【００２２】
また、凹部１４には、固定側金型１１より可動側金型１３が離れて型抜き方向に移動したときに、上記凹部１４内で上記スライド体１２がスライド移動可能であるように半円形のガイド円弧部１５を有しており、このガイド円弧部１５と成型用円弧部１７との間にはほぼ直線形状に形成された直線状部１６と、上記直線状部１６の一方側に形成された窪み部１８とを有するように構成されている。
【００２３】
更に凹部１４内には、後述するように、スライド体１２の浮き上がりを防止するために取り付けられるスライド体押え部材２７がねじ込まれるネジ孔２８と、可動側金型１３が閉位置まで移動したときに、可動側金型１３に設けた傾斜ピン２５が嵌入する嵌入孔２９が設けられている。
【００２４】
一方、固定側金型１１の凹部１４内に収納されるスライド体１２は、図５にその平面図、図６に正面図、図７に傾斜ガイド穴の断面図を示すように、固定側金型１１のガイド円弧部１５と同一の曲率に形成された外周部１９を有しており、スライド体１２がスライド移動するときに上記固定側金型１１のガイド円弧部１５によってスライド移動のガイドをされるようになっている。
【００２５】
また、このスライド体１２は、外周部１９を直線状に結ぶ直線部２０と、直線部２０の中間部に形成された複数の傾斜歯部２１を有している。この傾斜歯部２１は、回転体２のウォームホイール部１Ａを構成するそれぞれの歯部４を形成するために設けらた対応傾斜部をなすものであり、図６に代表例として一つの対応傾斜歯部２１を示すように、それぞれの対応傾斜歯部２１が、回転体２のウォームホイール部１Ａを構成する歯部４の傾斜角度θ０と等しい傾斜角度θ０を有するように形成されている。
【００２６】
スライド体１２には、また、固定側金型１１に対するスライド時の押さえを行うための２つのガイド孔２２が設けられており、この２つのガイド孔２２を介して、図３に示すように、スライド体押え部材２７を固定側金型１１に設けたネジ孔２８にネジ締め固定し、スライド体１２が、凹部１４の底面、即ち、回転体１２の回転中心軸線に対して直交する平面においてのみスライド移動ができるようになっている。
【００２７】
更に、図５、図７に示すように、スライド体１２には、固定側金型１１に対して可動側金型１３が開閉方向に移動したときに、固定側金型１１の凹部１４内でスライド体１２をスライド移動させるように傾斜ガイド孔２３が設けられている。この傾斜ガイド孔２３の傾斜角度θ１は、スライド体１２に形成した傾斜歯部２１の傾斜角度θ０、即ち、回転体２のウォームホイール部１Ａを構成する歯部４の傾斜角度θ０と対応する角度に形成されている。
【００２８】
この対応する角度とは、成型される回転体２の回転軸心Ｘを基準として、傾斜ガイド孔２３による傾斜角度θ１によってスライド体１２がスライド移動したときに、回転体２のウォームホイール部１Ａを構成する歯部４において、回転体２の型抜き方向への移動とスライド体１２のスライド移動とが一致する角度となっていることである。このような対応角度に傾斜歯部２１の傾斜角度θ０と傾斜ガイド孔２３の傾斜角度θ１を設定しておくと、可動側金型１３が型抜き方向に移動したときに、回転体１２が固定側金型１１から離れる速さと同じタイミングでスライド体１２が移動するから、回転体２が傾斜した歯部を有していたとしても、回転体２を型抜き方向に抜くことができる。
【００２９】
一方、図３に示すように、可動側金型１３には、固定側金型１１に対して可動側金型１３が開閉方向に移動するときに、スライド体１２に設けた傾斜ガイド孔２３に嵌入してスライド体１２をスライドさせる傾斜ピン２５と、スライド体１２の傾斜ガイド孔２３の傾斜角度よりも大きい傾斜角に形成された傾斜面２４に当接して型閉状態でスライド体１２を所定の位置に固定するためのスライド係合部２６とを有している。
【００３０】
可動側金型１３に設けた上記傾斜ピン２５の傾斜角度は、スライド体１２に形成した傾斜ガイド孔２３の傾斜角度θ１と等しく、また、そのピン２５の径は傾斜ガイド孔２３の径と同一寸法に形成されている。一方、スライド体１２に形成した傾斜面２４に当接するスライド係合部２６の傾斜面２６Ａは、上記傾斜面２４と同じ傾斜角に形成されており、上記のように型閉位置で傾斜面２４に当接してスライド体１２の位置を固定する。
【００３１】
以上のように、金型装置１０が、固定側金型１１、スライド体１２、可動側金型１３により構成されている場合の回転体１２の成型方法について以下に説明する。
【００３２】
図３に示す型抜き位置、即ち、可動側金型１３が固定側金型１１側から離間した開位置から、可動側金型１３を固定側金型１１側に移動させると、図８に示す状態から可動側金型１３は下降し、可動側金型１３に形成された傾斜ピン２５がスライド体１２に形成された傾斜ガイド孔２３に嵌入することになる。
【００３３】
この状態で、更に可動側金型１３が固定側金型１１側に移動すると、傾斜ピン２５は傾斜ガイド孔２３に嵌入し、スライド体１２を図８において矢印方向に移動させる。このスライド移動は、図３においては、反時計方向にスライド移動するものであり、傾斜ピン２５及び傾斜ガイド孔２３の傾斜角度に基づいて移動するものである。そして、可動側金型１３が成型位置である閉位置に達すると、図９に示す状態となり、スライド係合部２６の傾斜面２６Ａがスライド体１２の傾斜面２４に当接してスライド体１２の位置を固定し、固定側金型１１とスライド体１２と可動側金型１３との間に成型空間であるキャビティが形成され成型位置となる。
【００３４】
この成型位置において、ダイカスト鋳造の場合には、図示しない湯口を介して上記キャビティ内に高温の溶湯を射出し、キャビティ内の溶湯に圧力をかけながらダイカスト鋳造を行うと図１、図２に示す回転体２が鋳造成型される。このとき、スライド体１２には傾斜歯部２１が設けられているので、回転体２には、スライド体１２の傾斜歯部２１により、回転軸心Ｘに対して周方向に関して所定の傾斜角度をもって傾斜するように形成されたウォームホイール部１Ａが形成されることになる。
【００３５】
次に、図９に示す固定側金型１１と可動側金型１３とが閉じた状態である成型位置より、可動側金型１３を開いて可動側金型１３を上方に移動させると、通常のように、成型された回転体２は可動側金型１３とともに上方に移動する。
【００３６】
このとき、スライド体１２は、可動側金型１３に形成された傾斜ピン２５によって図９において左方向、図３において時計方向にスライド移動されるが、傾斜ピン２５の傾斜角度、即ち、傾斜ガイド孔２３の傾斜角度θ１は、傾斜歯部２１の傾斜角度θ０と対応する角度に形成されているから、成型された回転体２のウォームホイール部１Ａが上方に持ち上げられるにしたがってスライド体１２は移動し、回転体２のウォームホイール部１Ａはスライド体１２の傾斜歯部２１より徐々に抜けてゆくことになり、可動側金型１３を上方に移動させながらウォームホイール部１Ａを抜くことができ、図８の状態に戻る。
【００３７】
この図８の状態において、スライド体１２と可動側金型１３との位置関係、即ち、スライド体１２と固定側金型１１との位置関係を一義的に定めるようにするために、スライド体１２と固定側金型１１との間にスライド方向に作用するバネ部材を設けておき、可動側金型１３に形成した傾斜ピン２５とスライド体１２に設けた傾斜ガイド孔２３との位置がずれないようにしておくのがよい。
【００３８】
なお、上述の実施形態は本発明の好適な実施の一例ではあるが、これに限定されるものではなく、本発明の要旨を逸脱しない範囲において種々変形することができる。例えば、成型する回転体は、ウォームホイール部１Ａ、即ち、歯車部を有する回転体でなく、歯車部の代わりに単なる傾斜した傾斜部を有する部品であってもよい。
【００３９】
また、上述の回転体は、ダイカスト鋳造により製造する回転体であるが、本発明による金型装置及び回転体の成型方法は、ダイカスト鋳造に限らず、モールド成型により形成するものにも適用することができる。
【００４０】
【発明の効果】
以上の説明より明らかなように、本発明は、固定側金型と、該固定側金型に対して移動可能に取付けられた可動側金型とから構成され、回転中心を有する回転体を、上記固定側金型と可動側金型とにより成型にて製造するための金型装置において、上記回転体は、該回転体の回転中心に対して所定の傾斜角度を有する傾斜部を有するものであり、上記固定側金型内には、上記回転体の回転中心軸線に対して直交する面においてスライド移動可能に取り付けられたスライド体を設け、該スライド体に上記回転体の傾斜部を形成するための対応傾斜部を設けるとともに、前記可動側金型には前記回転体の傾斜部が形成する上記傾斜角度に合うように傾斜ピンが設けられる一方、上記スライド体には、上記傾斜ピンが嵌入される傾斜ガイド孔が形成されており、上記可動側金型を上記固定側金型に対して前記回転中心軸線方向に開閉する型開閉移動動作に連動して上記可動側金型の傾斜ピンと上記スライド体の傾斜ガイド孔とが係合することによって、上記スライド体が上記回転体における傾斜部の上記傾斜角度に合うようにスライド移動するように構成したものである。
【００４１】
従って、成型すべき回転体が、該回転体の回転中心に対して所定の傾斜角度を有する歯部のような傾斜部を有するものであったとしても、上記スライド体の上記スライド移動動作を上記回転体の傾斜部が形成する上記傾斜角度に合わせるようにしたことから、可動側金型を固定側金型より離して開移動をしたときに、可動側金型の開移動とともにスライド体も上記回転体の傾斜部が形成する上記傾斜角度に合わせスライド移動し、可動側金型が従来と同様の開動作をするだけで、傾斜部を有する上記回転体を固定側金型及びスライド体より離す抜き動作をすることができる。また、スライド体のスライド移動を傾斜ピンと傾斜ガイド孔という非常に簡単な構成で達成することができる。
【００４２】
また、固定側金型にスライド体のスライド移動をガイドするガイド部を形成したものであるから、スライド体のスライド移動を確実に行うことができる。
【００４３】
さらに、前記回転体の傾斜部が複数のウオーム歯部から構成されてなるものであるから、ウオームギヤ部を備えた回転体やウオームギヤの成型を容易に行うことができる。
【００４４】
また、本発明によれば、固定側金型と、該固定側金型に対して開閉移動可能に取付けられた可動側金型とから構成され、回転中心を有する回転体を、上記固定側金型と可動側金型とにより成型にて製造するための回転体の成型方法において、上記回転体は該回転体の回転中心に対して所定の傾斜角度を有する傾斜部を有するものであり、上記固定側金型内に、上記回転体の回転中心軸線に対して直交する面においてスライド移動可能に取り付けられたスライド体を設けておき、該スライド体に上記回転体の傾斜部を形成するための対応傾斜部を設けるとともに、前記可動側金型には前記回転体の傾斜部が形成する上記傾斜角度に合うように傾斜ピンが設けられる一方、上記スライド体には、上記傾斜ピンが嵌入される傾斜ガイド孔が形成され、上記固定側金型に対して上記可動側金型を前記回転中心軸線方向に開閉する型開閉移動動作に連動する上記可動側金型の型抜き動作を行なったときに、上記可動側金型の傾斜ピンによって上記スライド体が上記回転体における傾斜部の上記傾斜角度に合うようにスライド移動している。
【００４５】
可動側金型を成型後に固定側金型より離し、開移動動作させたとき、上記可動側金型とともに成型された回転体が固定側金型及びスライド体より離れてゆくが、このとき、可動側金型の開移動とともに上記回転体の傾斜部を形成するための対応傾斜部を設けたスライド体も、上記回転体の傾斜部が形成する上記傾斜角度に合わせスライド移動させることができるから、上記回転体の傾斜部に対して上記可動側金型の型抜き動作を行うことができる。
【図面の簡単な説明】
【図１】  本発明の一実施形態における回転体の平面図である。
【図２】  図１に示す回転体の側断面図である。
【図３】  本発明の一実施形態における金型装置の概略構成を示す斜視図である。
【図４】  図３に示す固定側金型の平面図である。
【図５】  図３に示すスライド体の平面図である。
【図６】  図５に示すスライド体の正面図である。
【図７】  図５に示すスライド体に設けた傾斜ガイド穴を示す断面図である。
【図８】  可動側金型が固定側金型から離間した開位置にある状態を示す説明図である。
【図９】  可動側金型と固定側金型とが閉じた成型位置にある状態を示す説明図である。
【符号の説明】
１Ａ  ウォームホイール部
２  回転体
４  歯部
１０  金型装置
１１  固定側金型
１２  スライド体
１３  可動側金型
１４  凹部
１５  ガイド円弧部
２１  傾斜歯部
２３  傾斜ガイド孔
２４  傾斜面
２５  傾斜ピン
２６  スライド係合部
【図１】
0003822000.tif 000002
【図２】
0003822000.tif 000003
【図３】
0003822000.tif 000004
【図４】
0003822000.tif 000005
【図５】
0003822000.tif 000006
【図６】
0003822000.tif 000007
【図７】
0003822000.tif 000008
【図８】
0003822000.tif 000009
【図９】
0003822000.tif 000010